(57)【要約】【課題】自動車等の大きな荷重に耐える所定の強度を得ることができるとともに、施工に際して、溝路部材として市販されているＵ字溝に何ら加工を施す必要がない溝路用通水被覆装置を提供する。【解決手段】左右の支持枠８，８の立ち上がり縁６，６間に嵩上げ杆２８を横架し、該嵩上げ杆２８上に、金属製通水被覆部材１３を乗載するようにし、さらに左右の支持枠８，８を連結する各梁部材１０の左右両端部を、溝路１を構成する左右の側壁４，４の上端面に、両支持枠８，８の水平縁７，７又は一方の支持枠８の水平縁７と他方の支持枠８の立ち上がり縁６とを介して乗載した。これにより、溝路用通水被覆装置５上に自動車等の重量の大きなものの荷重が掛かっても、溝路１の左右の側壁４，４上に差し渡された各梁部材１０によって、その荷重に耐える所定の強度を得ることができる。【選択図】図１
2008202403.tif 000002
【特許請求の範囲】
【請求項１】
少なくとも一方に水平縁が連成された立ち上がり縁からなる左右の支持枠を備え、該両支持枠の立ち上がり縁が溝路の上部で所定間隔を置いて対向配置され、該両立ち上がり縁間に通水部が形成されるとともに、支持枠の水平縁によって残余の溝路の上部が覆われ、かつ両支持枠が該支持枠の長手方向に所定間隔で配設された複数の梁部材によって連結されてなる溝路用通水被覆装置において、
梁部材の上方で、左右の支持枠の立ち上がり縁間に嵩上げ杆を横架し、該嵩上げ杆上に、金属製通水被覆部材を乗載するようにし、
さらに前記各梁部材が、支持枠の水平縁の上面に当接して配設され、かつ各梁部材の左右両端部が、溝路を構成する左右の側壁の上端面に、両支持枠の水平縁又は一方の支持枠の水平縁と他方の支持枠の立ち上がり縁とを介して乗載されていることを特徴とする溝路用通水被覆装置。
【請求項２】
少なくとも一方に水平縁が連成された立ち上がり縁からなる左右の支持枠を備え、該両支持枠の立ち上がり縁が溝路の上部で所定間隔を置いて対向配置され、該両立ち上がり縁間に通水部が形成されるとともに、支持枠の水平縁によって残余の溝路の上部が覆われ、かつ両支持枠が該支持枠の長手方向に所定間隔で配設された複数の梁部材によって連結されてなる溝路用通水被覆装置において、
梁部材の上方で、左右の支持枠の立ち上がり縁間に嵩上げ杆を横架し、該嵩上げ杆上に、金属製通水被覆部材を乗載するようにし、
さらに前記各梁部材上に支持枠の水平縁が乗載され、かつ各梁部材の左右両端部が、溝路を構成する左右の側壁の上端面に乗載されていることを特徴とする溝路用通水被覆装置。
【請求項３】
少なくとも一方に水平縁が連成された立ち上がり縁からなる左右の支持枠を備え、該両支持枠の立ち上がり縁が溝路の上部で所定間隔を置いて対向配置され、該両立ち上がり縁間に通水部が形成されるとともに、支持枠の水平縁によって残余の溝路の上部が覆われ、かつ両支持枠が該支持枠の長手方向に所定間隔で配設された複数の梁部材によって連結されてなる溝路用通水被覆装置において、
梁部材の上方で、左右の支持枠の立ち上がり縁間に嵩上げ杆を横架し、該嵩上げ杆上に、金属製通水被覆部材を乗載するようにし、
さらに前記各梁部材が、支持枠の水平縁の上面又は下面に当接して配設され、かつ水平縁の外側端と溝路の側壁内面との間に間隙が設けられるとともに、各梁部材の左右両端部が、溝路を構成する左右の側壁の上端面に乗載されていることを特徴とする溝路用通水被覆装置。
【発明の詳細な説明】
【技術分野】
【０００１】
本発明は、排水溝等の溝路上に配設される溝路用通水被覆装置に関する。
【背景技術】
【０００２】
Ｕ字溝等の上部が大きく開放された溝路部材を用いて構築される溝路は、従来、その通水性を確保するために、帯板状金属杆を格子状に組み付けたグレーチング蓋からなる通水溝蓋によって上部開口を遮蔽するようにしていた。しかしながら、近年、化粧タイルや化粧ブロックを敷設したカラー舗装路面が多くなり、このようなカラー舗装路面と調和する意匠性に優れた溝蓋が要求されるようになったため、その一形態として内部に化粧タイルや化粧ブロック等の舗装材を充填し得る溝蓋が種々提供されている。
【０００３】
このような溝蓋は、箱枠状に形成された蓋本体を備えており、この箱枠状の蓋本体内に化粧タイルや化粧ブロック等の舗装材が充填されるが、その充填に際して、蓋本体内に化粧タイルや化粧ブロックが整然と収まるように、蓋本体内からはみ出す化粧タイルや化粧ブロックの余剰部分を切除しなければならないため、その加工に手間が掛かる上、施工後においても、蓋本体内に充填された舗装材と、溝路の周囲上面に敷設された舗装材との間に、蓋本体と受枠の目地が露出するため、該目地によってカラー舗装路面の意匠的な連続性が分断されてしまうという問題点があった。
【０００４】
一方、このような問題点が生じない構成を備えた排水溝構造も提案されている。このものは、図２８に示すように、溝路部材ａの両側壁ｂ，ｂ上に載置して溝路ｊの中央へ向けて延出させた水平縁ｃと該水平縁ｃの内側端部に立設した垂直縁ｄとからなる左右一対の支持枠ｅ，ｅと、該両支持枠ｅ，ｅを連結する梁部材ｆとを備えており、前記両支持枠ｅ，ｅの垂直縁ｄ，ｄ間に形成される通水部内に通水溝蓋ｇを配設するようにしている（特許文献１参照）。かかる構成にあっては、溝路の周囲に敷設される化粧タイルや化粧ブロック等の舗装材ｈを、両支持枠ｅ，ｅの水平縁ｃ，ｃ上で垂直縁ｄ，ｄ際まで連続して敷設することができるため、従来の箱枠状の蓋本体を用いるカラー舗装用の溝蓋のように、蓋本体内からはみ出す化粧タイルや化粧ブロックの余剰部分を切除する必要がなく、また、敷設した舗装材ｈの、両側壁ｂ，ｂ上に対応する部分に支持枠ｅ，ｅの目地が露出しないため、カラー舗装路面の意匠的な連続性が損なわれないという利点がある。
【０００５】
また、同様の排水溝構造にあって、左右の支持枠を連結する梁部材の両端部を、溝路部材の両側壁の上部内側縁に形成したＬ形受け部に夫々載置するようにした構成も知られている（特許文献２参照）。
【特許文献１】特開２００４−１６９３７５号公報
【特許文献２】特開２００４−３４６７０１号公報（図９）
【発明の開示】
【発明が解決しようとする課題】
【０００６】
ところで、上述した特許文献１に開示された構成にあっては、左右一対の支持枠ｅ，ｅを連結する梁部材ｆが、両支持枠ｅ，ｅの水平縁ｃ，ｃの下面に溶接を介して固着されており、また、該梁部材ｆの長さが、溝路部材ａの開口幅内に収まる長さとなっている。そして、このような梁部材ｆによって連結された水平縁ｃ，ｃの外側端部が、溝路部材ａの両側壁ｂ，ｂ上に載置されていることにより、支持枠ｅ，ｅ上に敷設された舗装材ｈや通水溝蓋ｇ上を自動車等の重量の大きなものが通過した場合に、その荷重が梁部材ｆのない水平縁ｃ，ｃの外側端縁近傍部分ｎに集中して掛かるため、当該部分に変形が生じ易く、このように水平縁ｃ，ｃのみで荷重を受けるものにあっては、自動車等の大きな荷重に耐える所定の強度を得ることができないという問題点があった。従って、このような強度的な弱点に対処するために、溝路部材ａの上部周囲に配設される鉄筋等からなる芯材ｋ（図２８参照）を両支持枠ｅ，ｅの水平縁ｃ，ｃ上まで延出させてその先端部を垂直縁ｄ，ｄに溶接するとともに、コンクリートを打設して、この芯材入りのコンクリート層ｍを水平縁ｃ，ｃ上に固着させることによって、支持枠ｅ，ｅの強度を高めなければならなかった。しかしながら、このように鉄筋等からなる芯材ｋを施工現場において水平縁ｃ，ｃ上まで配筋するには、手間と費用が掛かる上、施工期間も長くなるという問題点があり、また、舗装材ｈとして化粧ブロックを用いる場合には、水平縁ｃ，ｃ上に砂が敷設されるため、上記のような芯材入りのコンクリート層ｍを形成することができないという問題点があった。
【０００７】
また、特許文献２に開示された構成にあっては、溝路部材の両側壁の上部内側縁に夫々形成したＬ形受け部に、左右の支持枠を連結する梁部材の両端部が夫々載置されているため、該梁部材によって自動車等の大きな荷重に耐える所定の強度を得ることができる。しかしながら、溝路部材として市販されているＵ字溝において、両側壁の上部内側縁にこのようなＬ形受け部が形成されたＵ字溝は存在しない。従って、実施に際しては、市販のＵ字溝に対してＬ形受け部の形成加工をその都度行わなければならないのであるが、このＬ形受け部の形成加工には、膨大な時間と手間と加工費用を要するという問題点がある。また、Ｕ字溝等の溝路部材を用いることなく、現場におけるコンクリートの打設によって、溝路を構築する場合にあっても、通常の型枠以外にＬ形受け部形成用の型枠を別途組み付けなければならないため、手間と時間を要するという問題点がある。
【０００８】
一方、道路や通路の側溝として構築される溝路は、Ｕ字溝等の溝路部材ａをできるだけ道路や通路の端に寄せるようにして設置するのが普通であるが、上述した従来構成のように、溝路部材ａの両側壁ｂ，ｂ上に水平縁ｃ，ｃの外側端部を載置し、その内側端部を溝路ｊの中央へ向けて延出させた左右一対の支持枠ｅ，ｅを備えたものにあっては、道路等の外端側に位置する一方の支持枠ｅの水平縁ｃ上に、化粧タイルや化粧ブロック等の舗装材ｈを敷設するに際して、該水平縁ｃ上の敷設スペース内に化粧タイルや化粧ブロックが整然と収まるように、敷設スペースからはみ出す化粧タイルや化粧ブロックの余剰部分を切除しなければならないため、その加工に手間が掛かるという問題点があった。
【０００９】
本発明は、自動車等の大きな荷重に耐える所定の強度を得ることができるとともに、溝路部材として市販されているＵ字溝に何ら加工を施す必要がなく、さらに、溝路が側溝である場合に、道路等の外端側における舗装材の敷設を不要とし得る溝路用通水被覆装置を提供することを目的とするものである。
【課題を解決するための手段】
【００１０】
本発明は、少なくとも一方に水平縁が連成された立ち上がり縁からなる左右の支持枠を備え、該両支持枠の立ち上がり縁が溝路の上部で所定間隔を置いて対向配置され、該両立ち上がり縁間に通水部が形成されるとともに、支持枠の水平縁によって残余の溝路の上部が覆われ、かつ両支持枠が該支持枠の長手方向に所定間隔で配設された複数の梁部材によって連結されてなる溝路用通水被覆装置において、梁部材の上方で、左右の支持枠の立ち上がり縁間に嵩上げ杆を横架し、該嵩上げ杆上に、金属製通水被覆部材を乗載するようにし、さらに前記各梁部材が、支持枠の水平縁の上面に当接して配設され、かつ各梁部材の左右両端部が、溝路を構成する左右の側壁の上端面に、両支持枠の水平縁又は一方の支持枠の水平縁と他方の支持枠の立ち上がり縁とを介して乗載されていることを特徴とする溝路用通水被覆装置である。
【００１１】
ここで、両支持枠の立ち上がり縁を溝路の上部の略中央で対向させる場合には、両立ち上がり縁に梁部材を挿し通す挿通口を形成することが好ましい。また、両支持枠の立ち上がり縁を溝路の上部の側部に偏倚した位置で対向させる場合には、少なくとも溝路を構成する一方の側壁上に位置する立ち上がり縁に対向する他方の立ち上がり縁に、梁部材を挿し通す挿通口を形成することが好ましい。さらに、各梁部材は、支持枠の水平縁の上面に当接させた状態で溶接等の接合手段によって、該水平縁の上面に接合することが好ましい。これにより、梁部材と支持枠との相互の位置ずれを防止することができる。
【００１２】
また、本発明は、少なくとも一方に水平縁が連成された立ち上がり縁からなる左右の支持枠を備え、該両支持枠の立ち上がり縁が溝路の上部で所定間隔を置いて対向配置され、該両立ち上がり縁間に通水部が形成されるとともに、支持枠の水平縁によって残余の溝路の上部が覆われ、かつ両支持枠が該支持枠の長手方向に所定間隔で配設された複数の梁部材によって連結されてなる溝路用通水被覆装置において、梁部材の上方で、左右の支持枠の立ち上がり縁間に嵩上げ杆を横架し、該嵩上げ杆上に、金属製通水被覆部材を乗載するようにし、さらに前記各梁部材上に支持枠の水平縁が乗載され、かつ各梁部材の左右両端部が、溝路を構成する左右の側壁の上端面に乗載されていることを特徴とする溝路用通水被覆装置である。
【００１３】
ここで、各梁部材に乗載される支持枠の水平縁は、溶接等の接合手段によって、各梁部材の上面に接合することが好ましい。これにより、梁部材と支持枠との相互の位置ずれを防止することができる。
【００１４】
また、上述した左右の支持枠が、立ち上がり縁に水平縁が夫々連成されたものにおいて、両支持枠の立ち上がり縁を溝路の上部の略中央で対向させることにより、該両立ち上がり縁間に形成される通水部を溝路の上部の略中央に位置させ、かつ残余の溝路の上部を左右の支持枠の水平縁で覆うようにした構成が提案される。
【００１５】
また、両支持枠の立ち上がり縁を溝路の上部の側部に偏倚した位置で対向させることにより、該両立ち上がり縁間に形成される通水部を溝路の上部の側部に位置させ、かつ残余の溝路の上部を一方の支持枠の水平縁で覆うようにした構成が提案される。
【００１６】
また、本発明は、少なくとも一方に水平縁が連成された立ち上がり縁からなる左右の支持枠を備え、該両支持枠の立ち上がり縁が溝路の上部で所定間隔を置いて対向配置され、該両立ち上がり縁間に通水部が形成されるとともに、支持枠の水平縁によって残余の溝路の上部が覆われ、かつ両支持枠が該支持枠の長手方向に所定間隔で配設された複数の梁部材によって連結されてなる溝路用通水被覆装置において、梁部材の上方で、左右の支持枠の立ち上がり縁間に嵩上げ杆を横架し、該嵩上げ杆上に、金属製通水被覆部材を乗載するようにし、さらに前記各梁部材が、支持枠の水平縁の上面又は下面に当接して配設され、かつ水平縁の外側端と溝路の側壁内面との間に間隙が設けられるとともに、各梁部材の左右両端部が、溝路を構成する左右の側壁の上端面に乗載されていることを特徴とする溝路用通水被覆装置である。
【００１７】
ここで、各梁部材を、支持枠の水平縁の上面に当接して配設し、両支持枠の立ち上がり縁を溝路の上部の略中央で対向させる場合には、両立ち上がり縁に梁部材を挿し通す挿通口を形成することが好ましい。また、各梁部材を、支持枠の水平縁の上面に当接して配設し、両支持枠の立ち上がり縁を溝路の上部の側部に偏倚した位置で対向させる場合には、少なくとも溝路を構成する一方の側壁上に位置する立ち上がり縁に対向する他方の立ち上がり縁に、梁部材を挿し通す挿通口を形成することが好ましい。また、各梁部材は、支持枠の水平縁の上面又は下面に当接させた状態で、溶接等の接合手段によって、支持枠に接合することが好ましい。これにより、梁部材と支持枠との相互の位置ずれを防止することができる。
【００１８】
さらに、支持枠又は梁部材に、溝路の側壁外面又は側壁内面に沿って垂下する左右一対の遮蔽縁が設けられている構成が提案される。ここで、該遮蔽縁は溝路の長手方向に沿って延在する左右の支持枠と略同一長さとすることが好ましい。
【００１９】
また、両支持枠の立ち上がり縁間に形成された通水部に金属製通水被覆部材が配設されている構成が提案される。ここで、金属製通水被覆部材は、通水部を覆うとともに、該通水部の通水性を得るためのものであって、これには、グレーチング蓋や多数の小孔を穿設した蓋体が好適に用いられ得る。
【００２０】
さらに、前記構成にあって、支持枠の立ち上がり縁と水平縁とを相互に異なる金属材で形成するとともに、立ち上がり縁の材質を、金属製通水被覆部材の材質に一致させた構成が提案される。ここで、立ち上がり縁及び金属製通水被覆部材の材質を、水平縁の材質に比して美観性に優れた材質とすることが好ましい。
【００２１】
また、両支持枠の立ち上がり縁間に形成された通水部が、その上部開口幅より下部開口幅が広くなるように設けられている構成が提案される。ここで、通水部を、上部開口幅より下部開口幅が広くなるように設けるには、少なくとも一方の立ち上がり縁を傾斜させて通水部をテーパ状にしたり、或いは少なくとも一方の立ち上がり縁に段部を設け、該段部を介して通水部の下部を広幅にする形態が適用され得る。
【００２２】
また、梁部材の両端部又は左右の支持枠から、溝路の側壁外面に沿うようにして固定杆が夫々下方に垂設され、少なくとも何れか一方の固定杆に、先端が溝路の側壁外面に圧接可能な固定螺子が外側方から螺合されている構成が提案される。
【発明の効果】
【００２３】
本発明は、上述したように、梁部材の上方で、左右の支持枠の立ち上がり縁間に嵩上げ杆を横架し、該嵩上げ杆上に、金属製通水被覆部材を乗載するようにし、さらに左右の支持枠を連結する複数の梁部材を、支持枠の水平縁の上面に当接して配設し、かつ各梁部材の左右両端部を、溝路を構成する左右の側壁の上端面に、両支持枠の水平縁又は一方の支持枠の水平縁と他方の支持枠の立ち上がり縁とを介して乗載するように構成したから、溝路用通水被覆装置上に自動車等の重量の大きなものの荷重が掛かっても、溝路の左右の側壁上に差し渡された梁部材によって、その荷重に耐える所定の強度を得ることができる。また、梁部材の左右両端部を乗載する部分を、溝路の左右の側壁の上端面としたので、従来のように、両側壁の上部内側縁にＬ形受け部を形成する必要がなく、その形成コストが不要であり、さらに、梁部材が支持枠の水平縁の上面に当接して配設されているため、梁部材上に支持枠の水平縁を乗載する場合に比して、地表面から溝路の側壁の上端面までの深さを梁部材の高さ寸法分だけ浅くすることができ、これによって溝路部材を埋設する場合において側壁の上端面を下げるための掘削量を減らすことができる。
【００２４】
また、本発明は、梁部材の上方で、左右の支持枠の立ち上がり縁間に嵩上げ杆を横架し、該嵩上げ杆上に、金属製通水被覆部材を乗載するようにし、さらに左右の支持枠を連結する複数の梁部材上に支持枠の水平縁を乗載し、、かつ各梁部材の左右両端部を、溝路を構成する左右の側壁の上端面に乗載するように構成したから、溝路用通水被覆装置上に自動車等の重量の大きなものの荷重が掛かっても、溝路の左右の側壁上に差し渡された梁部材によって、その荷重に耐える所定の強度を得ることができる。また、溝路の左右の側壁の上端面に梁部材の左右両端部を乗載したので、従来のように、両側壁の上部内側縁にＬ形受け部を形成する必要がなく、その形成コストが不要となる。
【００２５】
また、左右の支持枠が、立ち上がり縁に水平縁が夫々連成されたものにおいて、両支持枠の立ち上がり縁を溝路の上部の略中央で対向させることにより、該両立ち上がり縁間に形成される通水部を溝路の上部の略中央に位置させ、かつ残余の溝路の上部を左右の支持枠の水平縁で覆うようにした構成にあっては、溝路の上部の略中央に該溝路の開口幅より狭い通水部を形成することができる。
【００２６】
また、両支持枠の立ち上がり縁を溝路の上部の側部に偏倚した位置で対向させることにより、該両立ち上がり縁間に形成される通水部を溝路の上部の側部に位置させ、かつ残余の溝路の上部を一方の支持枠の水平縁で覆うようにした構成にあっては、溝路の上部の側部に該溝路の開口幅より狭い通水部を形成することができる。ここで、左右の支持枠が、立ち上がり縁に水平縁が夫々連成されたものにおいて、一方の支持枠の水平縁を溝路の上部を略覆う広幅水平縁とし、他方の支持枠の水平縁を溝路の側壁上面の幅に略一致する狭幅水平縁とし、前記広幅水平縁の外側端縁を、溝路を構成する一方の側壁上に位置させるとともに、前記狭幅水平縁を、溝路を構成する他方の側壁上に位置させ、該狭幅水平縁の外側端縁から立ち上げられた立ち上がり縁と、前記広幅水平縁の内側端縁から立ち上げられた立ち上がり縁とを溝路の上部の側部に偏倚した位置で対向させる構成としたり、或いは、一方の支持枠が立ち上がり縁のみからなり、他方の支持枠が立ち上がり縁に水平縁が連成されたものにおいて、該支持枠の水平縁を溝路の上部を略覆う広幅水平縁とし、該広幅水平縁の外側端縁を、溝路を構成する一方の側壁上に位置させるとともに、立ち上がり縁のみからなる他方の支持枠を溝路を構成する他方の側壁上の外端側に位置させ、該支持枠の立ち上がり縁と前記広幅水平縁の内側端縁から立ち上げられた立ち上がり縁とを溝路の上部の側部に偏倚した位置で対向させる構成として、両立ち上がり縁間に形成される通水部を溝路の上部の側部に位置させ、かつ残余の溝路の上部を一方の支持枠の広幅水平縁で覆うようにすることにより、通水部を溝路の上部の最も側部に偏倚した位置に形成することができる。これにより、溝路が側溝である場合に、道路側に敷設される舗装材を支持枠の広幅水平縁上に連続状に敷設するだけでよく、道路の外端側における舗装材の敷設作業を不要とすることができる。
【００２７】
また、本発明は、梁部材の上方で、左右の支持枠の立ち上がり縁間に嵩上げ杆を横架し、該嵩上げ杆上に、金属製通水被覆部材を乗載するようにし、さらに左右の支持枠を連結する複数の梁部材を、支持枠の水平縁の上面又は下面に当接して配設し、かつ水平縁の外側端と溝路の側壁内面との間に間隙を設けるとともに、各梁部材の左右両端部を、溝路を構成する左右の側壁の上端面に乗載するように構成したから、この構成にあっても、上述したように、溝路用通水被覆装置上に自動車等の重量の大きなものの荷重が掛かった場合に、溝路の左右の側壁上に差し渡された梁部材によって、その荷重に耐える所定の強度を得ることができる。また、梁部材の左右両端部を乗載する部分を、溝路の左右の側壁の上端面としたので、従来のように、両側壁の上部内側縁にＬ形受け部を形成する必要がなく、その形成コストが不要となる。さらに、この構成にあっては、水平縁の外側端と溝路の側壁内面との間に間隙が設けられていることにより、溝路の周囲から水平縁上に亘って透水性コンクリートを舗装材として敷設した場合に、該透水性コンクリートを透過した雨水を前記間隙から溝路内に排水させることができる。
【００２８】
また、支持枠又は梁部材に、溝路の側壁外面又は側壁内面に沿って垂下する左右一対の遮蔽縁を設ける構成にあっては、Ｕ字溝等の溝路部材を用いて水勾配を付けて構築された溝路上に溝路用通水被覆装置を水平に配設した場合に、水下に至るに従って、溝路の側壁上面と溝路用通水被覆装置の下面との間に次第に隙間が生じることとなり、施工時に、この隙間から舗装材を構成するコンクリートや砂が溝路内に流入することとなるのであるが、上記のように、溝路の側壁外面又は側壁内面に沿って垂下する左右一対の遮蔽縁を設けることにより、該遮蔽縁によって前記隙間が遮蔽されて、コンクリートや砂等の異物の溝路内への流入を防止することができる。
【００２９】
また、両支持枠の立ち上がり縁間に形成された通水部に金属製通水被覆部材を配設するようにした構成にあっては、通水部の通水性が確保できるとともに、通水部からのゴミや木の葉等の異物の流入を防止することができる。
【００３０】
さらに、支持枠の立ち上がり縁と水平縁とを相互に異なる金属材で形成するとともに、立ち上がり縁の材質を、金属製通水被覆部材の材質に一致させる構成にあっては、水平縁の材質を安価な鉄鋼とし、立ち上がり縁と金属製通水被覆部材の材質をステンレス鋼とすることにより、支持枠全体をステンレス鋼とする場合に比して、製造コストの低減を図ることができるとともに、人目に付く部分がステンレス鋼であるため、美観性に優れたものとなる。
【００３１】
また、両支持枠の立ち上がり縁間に形成された通水部を、その上部開口幅より下部開口幅が広くなるように設ける構成にあっては、両支持枠の立ち上がり縁を近接させて通水部を狭幅とするとともに、該通水部を金属製通水被覆部材で被覆しない場合において、通水部内に小石や木片等の異物が入った場合に、該通水部の上部開口幅より下部開口幅が広くなるように設けられていることにより、これらの異物が立ち上がり縁間に挟まって滞留することなく、該異物を円滑に落下させることができる。
【００３２】
また、梁部材の両端部又は左右の支持枠から、溝路の側壁外面に沿うようにして固定杆が夫々下方に垂設され、少なくとも何れか一方の固定杆に、先端が溝路の側壁外面に圧接可能な固定螺子が外側方から螺合されている構成にあっては、固定螺子の螺回操作による該固定螺子の緊締作用を介して、梁部材及び支持枠を溝路の側壁に固定することができるため、その固定状態において、支持枠の水平縁上への舗装材の敷設作業を楽に行うことができるとともに、施工精度を向上させることができる。
【発明を実施するための最良の形態】
【００３３】
以下に、本発明と関係する参考第１実施例（以下本発明の技術的範囲に含まれない実施例を参考第１実施例等という）を、図１〜図４に基づいて説明する。
溝路１は、図１，図２に示すように、底壁３と左右の側壁４，４とによって断面略Ｕ字状に形成されたＵ字溝からなる複数の溝路部材２を、地盤の所定深さ位置に一列状に埋設して構築されている。
【００３４】
本発明にかかる溝路用通水被覆装置５は、前記溝路１の上部開口を通水可能に覆うものであり、この第１実施例の溝路用通水被覆装置５にあっては、垂直な立ち上がり縁６に水平縁７が連成された左右一対の支持枠８，８を備えている。該両支持枠８，８は、その立ち上がり縁６，６が溝路１の上部の略中央で所定間隔を置いて対向配置され、該両立ち上がり縁６，６間に通水部９が形成されている。また、この通水部９以外の溝路１の上部開口は、両支持枠８，８の水平縁７，７で遮蔽されている。両支持枠８，８は、鉄鋼又はステンレス鋼からなる板状の金属材を素材にして形成されており、その長さは、図２に示すように、一列状をなす複数の溝路部材２の長手方向に亘る所定の長さとなっている。尚、各支持枠８の立ち上がり縁６と水平縁７は、図１に示すように、一枚の金属板を断面Ｌ形に屈曲させて形成してもよいし、図３等に示すように、二枚の金属板を溶接によって断面Ｌ形となるように接合して形成することも可能である。
【００３５】
左右の支持枠８，８は、図２に示すように、該支持枠８，８の長手方向に所定間隔で配設された複数の梁部材１０によって連結されている。各梁部材１０は強度に優れた金属製の角パイプからなり、その長さは、溝路１を構成する左右の側壁４，４の外面１１，１１から若干外方に突出する所定の長さとなっている。各梁部材１０は、支持枠８，８の水平縁７，７の上面に当接して配設され、該支持枠８，８の立ち上がり縁６，６に形成された挿通口１２，１２に挿通した状態で、水平縁７，７または水平縁７，７と挿通口１２，１２の口縁とに溶接によって接合されている。そして、このように左右の支持枠８，８を移動不能に連結した各梁部材１０の左右両端部が、溝路１を構成する左右の側壁４，４の上端面に、両支持枠８，８の水平縁７，７を介して乗載されている。
【００３６】
また、立ち上がり縁６，６間に形成された通水部９には、金属製通水被覆部材１３が配設されている。該金属製通水被覆部材１３は、鉄鋼製、ステンレス鋼製または鋳鉄製のグレーチング蓋からなり、通水部９に露出する前記各梁部材１０の上面に着脱可能に乗載されている。尚、この金属製通水被覆部材１３は、グレーチング蓋以外に、図３に示すように、例えば多数の小孔１４を穿設した天板部１５を備えた断面伏コ字形の蓋体を用いてもよい。また、該蓋体を天板部１５のみの帯板状とし、左右の立ち上がり縁６，６の内側面上端に溶接によって接合して横架させてもよく、さらに、図４に示すように、天板部１５と左右の立ち上がり縁６，６とを一体形成することも可能である。また、金属製通水被覆部材１３をグレーチング状に形成し、これを左右の立ち上がり縁６，６間に配置した状態で溶接によって両立ち上がり縁６，６と一体化してもよい。
【００３７】
前記各梁部材１０の両端部には、溶接によって接合した固定杆１６が、溝路１の側壁４，４の外面１１，１１に沿うようにして夫々下方に垂設されており、各固定杆１６には先端が溝路１の側壁４，４の外面１１，１１に圧接可能な固定螺子１７が夫々外側方から螺合されている。そして、該固定螺子１７を締め付け方向に螺回操作して、各固定螺子１７の先端部を側壁４，４の外面１１，１１に圧接させることにより、その緊締作用を介して、梁部材１０及び支持枠８，８を溝路１の側壁４，４に固定するようにしている。そして、このような固定状態において、左右の支持枠８，８の水平縁７，７上に、溝路１の周囲上部に敷設されるコンクリート１８及び化粧タイル１９からなる舗装材２０が連続状に敷設されている。
【００３８】
従って、施工に際しては、溝路用通水被覆装置５を溝路１の側壁４，４上に載置した後、各固定螺子１７の螺回操作による緊締作用を介して、梁部材１０及び支持枠８，８を溝路１の側壁４，４に固定することができるため、その固定状態において、支持枠８，８の水平縁７，７上への舗装材２０の敷設作業を楽に行うことができる。また、左右両側から各固定螺子１７，１７を緊締するようにしていることにより、溝路１を構成する複数の溝路部材２の列設状態における直線度が多少悪くても、そのズレを吸収することができるため、施工精度を向上させることができる。
【００３９】
かかる構成にあって、各梁部材１０の左右両端部が、溝路１を構成する左右の側壁４，４の上端面に、支持枠８，８の水平縁７，７を介して乗載されていることにより、溝路用通水被覆装置５上に自動車等の重量の大きなものの荷重が掛かっても、溝路１の左右の側壁４，４上に差し渡された梁部材１０によって、その荷重に耐える所定の強度を得ることができる。また、梁部材１０の左右両端部を乗載する部分を、溝路１の左右の側壁４，４の上端面としたので、従来のように、両側壁４，４の上部内側縁にＬ形受け部を形成する必要がないため、その形成コストが不要であり、さらに、梁部材１０が支持枠８，８の水平縁７，７の上面に当接して配設されているため、後述する第８実施例（図１２参照）のように、梁部材１０上に支持枠８，８の水平縁７，７を乗載する場合に比して、地表面から溝路１の側壁４，４の上端面までの深さを梁部材１０の高さ寸法分だけ浅くすることができ、これによって溝路部材２を埋設する場合において側壁４，４の上端面を下げるための掘削量を減らすことができる。
【００４０】
また、左右の支持枠８，８を、立ち上がり縁６，６に水平縁７，７が夫々連成されたものとし、両支持枠８，８の立ち上がり縁６，６を溝路１の上部の略中央で対向させることにより、該両立ち上がり縁６，６間に形成される通水部９を溝路１の上部の略中央に位置させ、かつ残余の溝路１の上部を左右の支持枠８，８の水平縁７，７で覆うようにしたので、溝路１の上部の略中央に該溝路１の開口幅より狭い通水部９を形成することができる。
【００４１】
尚、上述した第１実施例にあっては、左右の支持枠８，８の水平縁７，７上にコンクリート１８及び化粧タイル１９からなる舗装材２０を敷設する施工に適するように、立ち上がり縁６，６の立ち上がり高さが低く設定されているが、砂２６及び化粧ブロック２７からなる舗装材２０（図１０参照）を敷設する場合には、該立ち上がり縁６，６の立ち上がり高さがさらに高くなるように設定される。
【００４２】
また、上述した第１実施例にあっては、各梁部材１０の両端部から、溝路１の側壁４，４の外面１１，１１に沿うようにして夫々下方に垂設させた各固定杆１６に、夫々固定螺子１７を螺合する構成としたが、該固定螺子１７は、左右何れか一方の側の固定杆１６にのみ螺合するようにしてもよい。かかる構成にあっても、施工時に各固定螺子１７の螺回操作による緊締作用を介して、梁部材１０及び支持枠８，８を溝路１の側壁４，４に固定することができるため、支持枠８，８の水平縁７，７上への舗装材２０の敷設作業を楽に行うことができる。
【００４３】
図５は参考第２実施例を示し、この第２実施例は、前記第１実施例における両支持枠８，８の立ち上がり縁６，６と水平縁７，７とを相互に異なる金属材で形成するとともに、立ち上がり縁６，６の材質を、金属製通水被覆部材１３の材質に一致させたものである。ここで、水平縁７，７の材質には鉄鋼が用いられており、立ち上がり縁６，６と金属製通水被覆部材１３の材質にはステンレス鋼が用いられている。また、立ち上がり縁６，６にはその下端部に外側方に延出する水平部２１が夫々連成されており、該水平部２１の外端と、水平縁７，７の内端とが溶接によって一体的に接合されている。その他の構成は前記第１実施例と同じであり、同一部分に同一符号を付して重複する説明を省略する。
【００４４】
かかる構成にあっては、水平縁７，７の材質を安価な鉄鋼とし、立ち上がり縁６，６と金属製通水被覆部材１３の材質をステンレス鋼とすることにより、支持枠８，８全体をステンレス鋼とする場合に比して、製造コストの低減を図ることができるとともに、人目に付く部分がステンレス鋼であるため、美観性に優れたものとなる。
【００４５】
図６は参考第３実施例を示し、この第３実施例は、前記第１実施例における両支持枠８，８の立ち上がり縁６，６間に形成された通水部９を、前記第１実施例のものに比して狭幅に形成するとともに、その上部開口幅２２ａより下部開口幅２２ｂが広くなるように設けたものである。ここで、両立ち上がり縁６，６の上端部には、鉄鋼またはステンレス鋼等の金属材からなる断面Ｌ形の目地部材２３，２３が溶接または螺子止め等の接合手段によって対向状に固着されており、該目地部材２３，２３の内端縁の間隔によって通水部９の上部開口幅２２ａが狭められている。尚、このように、目地部材２３，２３を用いる構成に代えて、図７（ａ）に示すように、少なくとも一方の立ち上がり縁６を傾斜させて通水部９をテーパ状にしたり、図７（ｂ）に示すように、少なくとも一方の立ち上がり縁６に段部２４を設け、該段部２４を介して通水部９の下部を広幅にすることも可能である。その他の構成は前記第１実施例と同じであり、同一部分に同一符号を付して重複する説明を省略する。
【００４６】
かかる構成にあっては、両支持枠８，８の立ち上がり縁６，６を近接させて通水部９を狭幅とすることにより、上述した金属製通水被覆部材１３を用いる必要がなく、また、通水部９内に小石や木片等の異物が入った場合に、該通水部９の上部開口幅２２ａより下部開口幅２２ｂが広くなるように設けられていることにより、これらの異物が立ち上がり縁６，６間に挟まって滞留することなく、該異物を円滑に落下させることができる。
【００４７】
図８は参考第４実施例を示し、この第４実施例は、前記第１実施例における両支持枠８，８の立ち上がり縁６，６を溝路１の上部の側部に偏倚した位置で対向させることにより、該両立ち上がり縁６，６間に形成される通水部９を溝路１の上部の側部に位置させ、かつ残余の溝路１の上部を一方の支持枠８の水平縁７で覆うようにしたものである。ここで、一方の支持枠８（図中右側）の水平縁７を溝路１の上部を略覆う広幅水平縁とし、他方の支持枠８（図中左側）の水平縁７を溝路１の側壁４の上面の幅に略一致する狭幅水平縁とし、前記広幅水平縁の外側端縁を、溝路１を構成する一方の側壁４上に位置させるとともに、前記狭幅水平縁を、溝路１を構成する他方の側壁４上に位置させ、該狭幅水平縁の外側端縁から立ち上げられた立ち上がり縁６と、前記広幅水平縁の内側端縁から立ち上げられた立ち上がり縁６とを溝路１の上部の側部に偏倚した位置で対向させるようにしている。その他の構成は前記第１実施例と同じであり、同一部分に同一符号を付して重複する説明を省略する。
【００４８】
かかる構成にあっては、通水部９を溝路１の上部の最も側部に偏倚した位置に形成することができる。これにより、溝路１が側溝である場合、或いは溝路１の外端側に壁や塀等の立ち上がり部２５がある場合に、道路側に敷設される舗装材２０を支持枠８の広幅水平縁上に連続状に敷設するだけでよいため、道路の外端側における舗装材２０の敷設作業を不要とすることができ、施工が容易となる。
【００４９】
尚、上述した第４実施例にあっては、他方の支持枠８（図中左側）の水平縁７を溝路１の側壁４の上面の幅に略一致する狭幅水平縁としたが、これに代えて、図９に示す参考第５実施例のように、他方の支持枠８（図中左側）を立ち上がり縁６のみとし、各梁部材１０の左右両端部を、溝路１を構成する左右の側壁４，４の上端面に、一方の支持枠８の水平縁７と他方の支持枠８の立ち上がり縁６とを介して乗載するようにしてもよい。
【００５０】
図１０は本発明に係る第６実施例を示し、この第６実施例は、上述した第４実施例（図８参照）の構成において、砂２６及び化粧ブロック２７からなる舗装材２０を敷設する施工に適するように、左右の支持枠８，８の立ち上がり縁６，６を高く設定したものである。この場合、両立ち上がり縁６，６間の通水部９に配設されるグレーチング蓋等の金属製通水被覆部材１３は、両立ち上がり縁６，６間に横架された嵩上げ杆２８上に乗載されることとなる。
【００５１】
図１１は参考第７実施例を示し、この第７実施例は、上述した第４実施例（図８参照）の構成において、透水性コンクリート２９からなる舗装材２０を敷設する施工に適するように、広幅水平縁とする一方の水平縁７（図中右側）に複数の透孔３０を穿設したものである。これにより、降雨時に、透水性コンクリート２９からなる舗装材２０を透過した雨水を前記透孔３０から溝路１内に排水することができる。尚、施工に際しては、一方の水平縁７（図中右側）上に透水性シート（図示省略）を敷設することにより、透孔３０からの透水性コンクリート２９の流出が防止される。
【００５２】
図１２は本発明に係る第８実施例を示し、この第８実施例は、各梁部材１０上に左右の支持枠８，８の水平縁７，７が乗載され、かつ各梁部材１０の左右両端部が、溝路１を構成する左右の側壁４，４の上端面に乗載されている。ここで、両支持枠８，８は、第１実施例と同様に、垂直な立ち上がり縁６に水平縁７が連成されたものであり、該支持枠８，８の水平縁７，７と各梁部材１０は溶接によって接合されている。また、支持枠８，８の立ち上がり縁６，６は、溝路１の上部の略中央で所定間隔を置いて対向配置され、該両立ち上がり縁６，６間に形成された通水部９には、金属製通水被覆部材１３が配設されている。該金属製通水被覆部材１３はグレーチング蓋からなり、両立ち上がり縁６，６間に横架された嵩上げ杆２８上に着脱可能に乗載されている。尚、この金属製通水被覆部材１３は、グレーチング蓋以外に、例えば多数の小孔１４を穿設した天板部１５を備えた断面伏コ字形の蓋体（図３参照）を用いてもよい。また、該蓋体を天板部１５のみの帯板状とし、左右の立ち上がり縁６，６の内側面上端に溶接によって接合して横架させてもよく、さらに、天板部１５と左右の立ち上がり縁６，６とを一体形成することも可能である（図４参照）。また、金属製通水被覆部材１３をグレーチング状に形成し、これを左右の立ち上がり縁６，６間に配置した状態で溶接によって両立ち上がり縁６，６と一体化してもよい。その他の構成は、前記第１実施例と同じであり、同一部分に同一符号を付して重複する説明を省略する。
【００５３】
かかる構成にあっては、各梁部材１０の左右両端部が、溝路１を構成する左右の側壁４，４の上端面に乗載されていることにより、溝路用通水被覆装置５上に自動車等の重量の大きなものの荷重が掛かっても、溝路１の左右の側壁４，４上に差し渡された梁部材１０によって、その荷重に耐える所定の強度を得ることができる。また、梁部材１０の左右両端部を乗載する部分を、溝路１の左右の側壁４，４の上端面としたので、従来のように、両側壁４，４の上部内側縁にＬ形受け部を形成する必要がないため、その形成コストが不要となる。
【００５４】
また、左右の支持枠８，８を、立ち上がり縁６，６に水平縁７，７が夫々連成されたものとし、両支持枠８，８の立ち上がり縁６，６を溝路１の上部の略中央で対向させることにより、該両立ち上がり縁６，６間に形成される通水部９を溝路１の上部の略中央に位置させ、かつ残余の溝路１の上部を左右の支持枠８，８の水平縁７，７で覆うようにしたので、溝路１の上部の略中央に該溝路１の開口幅より狭い通水部９を形成することができる。
【００５５】
図１３は本発明に係る第９実施例を示し、この第９実施例は、前記第８実施例（図１２参照）における両支持枠８，８の立ち上がり縁６，６と水平縁７，７とを相互に異なる金属材で形成するとともに、立ち上がり縁６，６の材質を、金属製通水被覆部材１３の材質に一致させたものである。ここで、水平縁７，７の材質には鉄鋼が用いられており、立ち上がり縁６，６と金属製通水被覆部材１３の材質にはステンレス鋼が用いられている。また、立ち上がり縁６，６にはその下端部に外側方に延出する水平部２１が夫々連成されており、該水平部２１の外端と、水平縁７，７の内端とが溶接によって一体的に接合されている。その他の構成は前記第８実施例と同じであり、同一部分に同一符号を付して重複する説明を省略する。
【００５６】
かかる構成にあっては、水平縁７，７の材質を安価な鉄鋼とし、立ち上がり縁６，６と金属製通水被覆部材１３の材質をステンレス鋼とすることにより、支持枠８，８全体をステンレス鋼とする場合に比して、製造コストの低減を図ることができるとともに、人目に付く部分がステンレス鋼であるため、美観性に優れたものとなる。
【００５７】
図１４は本発明に係る第１０実施例を示し、この第１０実施例は、前記第８実施例（図１２参照）における両支持枠８，８の立ち上がり縁６，６を溝路１の上部の側部に偏倚した位置で対向させることにより、該両立ち上がり縁６，６間に形成される通水部９を溝路１の上部の側部に位置させ、かつ残余の溝路１の上部を一方の支持枠８の水平縁７で覆うようにしたものである。ここで、一方の支持枠８（図中右側）の水平縁７を溝路１の上部を略覆う広幅水平縁とし、他方の支持枠８（図中左側）の水平縁７を溝路１の側壁４の上面の幅に略一致する狭幅水平縁とし、前記広幅水平縁の外側端縁を、溝路１を構成する一方の側壁４上に位置させるとともに、前記狭幅水平縁を、溝路１を構成する他方の側壁４上に位置させ、該狭幅水平縁の外側端縁から立ち上げられた立ち上がり縁６と、前記広幅水平縁の内側端縁から立ち上げられた立ち上がり縁６とを溝路１の上部の側部に偏倚した位置で対向させるようにしている。また、両立ち上がり縁６，６間の通水部９に配設されるグレーチング蓋等の金属製通水被覆部材１３は、両立ち上がり縁６，６間に横架された嵩上げ杆２８上に乗載されている。その他の構成は前記第８実施例と同じであり、同一部分に同一符号を付して重複する説明を省略する。
【００５８】
かかる構成にあっては、通水部９を溝路１の上部の最も側部に偏倚した位置に形成することができる。これにより、溝路１が側溝である場合、或いは溝路１の外端側に壁や塀等の立ち上がり部２５がある場合に、道路側に敷設される舗装材２０を支持枠８の広幅水平縁上に連続状に敷設するだけでよいため、道路の外端側における舗装材２０の敷設作業を不要とすることができ、施工が容易となる。
【００５９】
尚、上述した第１０実施例にあっては、他方の支持枠８（図中左側）の水平縁７を溝路１の側壁４の上面の幅に略一致する狭幅水平縁としたが、これに代えて、図１５に示す本発明に係る第１１実施例のように、他方の支持枠８（図中左側）を立ち上がり縁６のみとしてもよい。
【００６０】
図１６は本発明に係る第１２実施例を示し、この第１２実施例は、上述した第１０実施例（図１４参照）の構成において、砂２６及び化粧ブロック２７からなる舗装材２０を敷設する施工に適するように、左右の支持枠８，８の立ち上がり縁６，６を高く設定したものである。
【００６１】
図１７は本発明に係る第１３実施例を示し、この第１３実施例は、上述した第１０実施例（図１４参照）の構成において、透水性コンクリート２９からなる舗装材２０を敷設する施工に適するように、広幅水平縁とする一方の水平縁７（図中右側）に複数の透孔３０を穿設したものである。これにより、降雨時に、透水性コンクリート２９からなる舗装材２０を透過した雨水を前記透孔３０から溝路１内に排水することができる。尚、施工に際しては、一方の水平縁７（図中右側）上に透水性シート（図示省略）を敷設することにより、透孔３０からの透水性コンクリート２９の流出が防止される。
【００６２】
図１８は参考第１４実施例を示し、この第１４実施例は、前記第１１実施例（図１５参照）における両支持枠８，８の立ち上がり縁６，６間に形成された通水部９を、前記第１１実施例のものに比して狭幅に形成するとともに、その上部開口幅２２ａより下部開口幅２２ｂが広くなるように設けたものである。ここで、一方の支持枠８（図中右側）の水平縁７を溝路１の上部を略覆う広幅水平縁とし、該広幅水平縁の内側端縁から立ち上げられた立ち上がり縁６を傾斜させて、両支持枠８，８の立ち上がり縁６，６間に形成される通水部９をテーパ状にすることにより、上部開口幅２２ａより下部開口幅２２ｂが広くなるようにしている。尚、このように、立ち上がり縁６を傾斜させる構成に代えて、目地部材２３，２３（図６参照）を用いたり、少なくとも一方の立ち上がり縁６に段部２４（図７（ｂ）参照）を設け、該段部２４を介して通水部９の下部を広幅にすることも可能である。その他の構成は前記第１１実施例と同じであり、同一部分に同一符号を付して重複する説明を省略する。
【００６３】
かかる構成にあっては、両支持枠８，８の立ち上がり縁６，６を近接させて通水部９を狭幅とすることにより、上述した金属製通水被覆部材１３を用いる必要がなく、また、通水部９内に小石や木片等の異物が入った場合に、該通水部９の上部開口幅２２ａより下部開口幅２２ｂが広くなるように設けられていることにより、これらの異物が立ち上がり縁６，６間に挟まって滞留することなく、該異物を円滑に落下させることができる。
【００６４】
図１９は参考第１５実施例を示し、この第１５実施例は、垂直な立ち上がり縁６に水平縁７が連成された左右の支持枠８，８の、その立ち上がり縁６，６を溝路１の上部の略中央で所定間隔を置いて対向させることにより、該立ち上がり縁６，６間に形成される通水部９を溝路１の上部の略中央に位置させ、両支持枠８，８を連結する各梁部材１０を、左右の支持枠８，８の水平縁７，７の上面に当接して配設し、かつ両水平縁７，７の外側端と溝路１の側壁４，４の内面３１，３１との間に間隙３２，３２を設けるとともに、各梁部材１０の左右両端部を、溝路１の側壁４，４の上端面に乗載したものである。また、支持枠８，８の水平縁７，７上には、溝路１の周囲上部に敷設される透水性コンクリート２９からなる舗装材２０が連続状に敷設されている。尚、施工に際しては、水平縁７，７と溝路１の側壁４，４の上端面とに亘って敷設される透水性シート（図示省略）によって前記間隙３２，３２を遮蔽することにより、該間隙３２，３２からの透水性コンクリート２９の流出が防止される。その他の構成は前記第１実施例と同じであり、同一部分に同一符号を付して重複する説明を省略する。
【００６５】
かかる構成にあっては、降雨時に、透水性コンクリート２９からなる舗装材２０を透過した雨水を前記間隙３２，３２から溝路１内に排水することができる。また、上述した耐荷重強度の向上作用に加えて、溝路１の上部の略中央に該溝路１の開口幅より狭い通水部９を形成することができる。尚、この第１５実施例では、間隙３２，３２に加えて、水平縁７，７に排水用の透孔３０（図１１参照）を穿設することも可能である。
【００６６】
図２０は本発明に係る第１６実施例を示し、この第１６実施例は、垂直な立ち上がり縁６に水平縁７が連成された左右の支持枠８，８の、その立ち上がり縁６，６を溝路１の上部の略中央で所定間隔を置いて対向させることにより、該立ち上がり縁６，６間に形成される通水部９を溝路１の上部の略中央に位置させ、両支持枠８，８を連結する各梁部材１０上に、両支持枠８，８の水平縁７，７を乗載し、かつ両水平縁７，７の外側端と溝路１の側壁４，４の内面３１，３１との間に間隙３２，３２を設けるとともに、各梁部材１０の左右両端部を、溝路１の側壁４，４の上端面に乗載したものである。また、支持枠８，８の水平縁７，７上には、溝路１の周囲上部に敷設される透水性コンクリート２９及び透水性の化粧タイル１９からなる舗装材２０が連続状に敷設されている。尚、左右の水平縁７，７の外側端縁は下方に向けて曲成され、その下端が側壁４，４の上端面に略一致する高さ位置まで延出されており、これによって前記間隙３２，３２が必要以上に開口しないようにしている。また、施工に際しては、水平縁７，７と溝路１の側壁４，４の上端面とに亘って敷設される透水性シート（図示省略）によって前記間隙３２，３２を遮蔽することにより、該間隙３２，３２からの透水性コンクリート２９の流出が防止される。その他の構成は前記第８実施例（図１２参照）と同じであり、同一部分に同一符号を付して重複する説明を省略する。
【００６７】
かかる構成にあっては、降雨時に、透水性コンクリート２９を透過した雨水を前記間隙３２，３２から溝路１内に排水することができる。また、上述した耐荷重強度の向上作用に加えて、溝路１の上部の略中央に該溝路１の開口幅より狭い通水部９を形成することができる。尚、この第１６実施例では、間隙３２，３２に加えて、水平縁７，７に排水用の透孔３０（図１７参照）を穿設することも可能である。
【００６８】
図２１は参考第１７実施例を示し、この第１７実施例は、一方の支持枠８（図中右側）の水平縁７を溝路１の上部を略覆う広幅水平縁とし、他方の支持枠８（図中左側）を立ち上がり縁６のみとして、両支持枠８，８の立ち上がり縁６，６を溝路１の上部の側部に偏倚した位置で対向させることにより、該両立ち上がり縁６，６間に形成される通水部９を溝路１の上部の側部に位置させ、かつ残余の溝路１の上部を一方の支持枠８の水平縁７で覆うようにするとともに、両支持枠８，８を連結する各梁部材１０を、一方の支持枠８（図中右側）の水平縁７の上面に当接して配設し、かつ該水平縁７の外側端と溝路１の側壁４の内面３１との間に間隙３２を設け、さらに各梁部材１０の左右両端部を、溝路１の側壁４，４の上端面に乗載したものである。ここで、他方の支持枠８（図中左側）の立ち上がり縁６は、側壁４の外面１１に沿うようにして下方に垂設されており、その下端部には先端が溝路１の側壁４の外面１１に圧接可能な固定螺子１７が外側方から螺合されている。即ち、この立ち上がり縁６の垂設部分が上述した固定杆１６となっている。また、支持枠８の水平縁７上には、溝路１の周囲上部に敷設される透水性コンクリート２９及び透水性の化粧タイル１９からなる舗装材２０が連続状に敷設されている。尚、施工に際しては、水平縁７と溝路１の側壁４の上端面とに亘って敷設される透水性シート（図示省略）によって前記間隙３２を遮蔽することにより、該間隙３２からの透水性コンクリート２９の流出が防止される。その他の構成は前記第４実施例（図８参照）と同じであり、同一部分に同一符号を付して重複する説明を省略する。
【００６９】
かかる構成にあっては、降雨時に、透水性コンクリート２９を透過した雨水を前記間隙３２から溝路１内に排水することができる。また、上述した耐荷重強度の向上作用に加えて、溝路１の上部の最も側部に偏倚した位置に該溝路１の開口幅より狭い通水部９を形成することができる。尚、この第１７実施例では、間隙３２に加えて、水平縁７に排水用の透孔３０（図１１参照）を穿設することも可能である。
【００７０】
図２２は本発明に係る第１８実施例を示し、この第１８実施例は、一方の支持枠８（図中右側）の水平縁７を溝路１の上部を略覆う広幅水平縁とし、他方の支持枠８（図中左側）を立ち上がり縁６のみとして、両支持枠８，８の立ち上がり縁６，６を溝路１の上部の側部に偏倚した位置で対向させることにより、該両立ち上がり縁６，６間に形成される通水部９を溝路１の上部の側部に位置させ、かつ残余の溝路１の上部を一方の支持枠８の水平縁７で覆うようにするとともに、両支持枠８，８を連結する各梁部材１０上に、一方の支持枠８（図中右側）の水平縁７を乗載し、かつ該水平縁７の外側端と溝路１の側壁４の内面３１との間に間隙３２を設け、さらに各梁部材１０の左右両端部を、溝路１の側壁４，４の上端面に乗載したものである。ここで、他方の支持枠８（図中左側）の立ち上がり縁６は、側壁４の外面１１に沿うようにして下方に垂設されており、その下端部には先端が溝路１の側壁４の外面１１に圧接可能な固定螺子１７が外側方から螺合されている。即ち、この立ち上がり縁６の垂設部分が上述した固定杆１６となっている。また、支持枠８の水平縁７上には、溝路１の周囲上部に敷設される透水性コンクリート２９及び透水性の化粧タイル１９からなる舗装材２０が連続状に敷設されている。尚、一方の支持枠８（図中右側）の水平縁７の外側端縁は下方に向けて曲成され、その下端が側壁４の上端面に略一致する高さ位置まで延出されており、これによって前記間隙３２が必要以上に開口しないようにしている。施工に際しては、水平縁７と溝路１の側壁４の上端面とに亘って敷設される透水性シート（図示省略）によって前記間隙３２を遮蔽することにより、該間隙３２からの透水性コンクリート２９の流出が防止される。その他の構成は前記第１０実施例（図１４参照）と同じであり、同一部分に同一符号を付して重複する説明を省略する。
【００７１】
かかる構成にあっては、降雨時に、透水性コンクリート２９を透過した雨水を前記間隙３２から溝路１内に排水することができる。また、上述した耐荷重強度の向上作用に加えて、溝路１の上部の最も側部に偏倚した位置に該溝路１の開口幅より狭い通水部９を形成することができる。尚、この第１８実施例では、間隙３２に加えて、水平縁７に排水用の透孔３０（図１７参照）を穿設することも可能である。
【００７２】
図２３，図２４は参考第１９実施例を示し、この第１９実施例は、前記第１５実施例（図１９参照）の構成において、両水平縁７，７の外側端と溝路１の側壁４，４の内面３１，３１との間に間隙３２，３２を設けるとともに、該水平縁７，７の外側端に、側壁４，４の内面３１，３１に沿って垂下する遮蔽縁３３，３３を連成したものである。ここで、該遮蔽縁３３，３３は、溝路１の長手方向に沿って延在する左右の支持枠８，８と同一長さで設けられる。また、両支持枠８，８の水平縁７，７上には、溝路１の周囲上部に敷設されるコンクリート１８及び化粧タイル１９からなる舗装材２０が連続状に敷設されている。また、施工に際しては、溝路用通水被覆装置５を水平に保持するために、図２４に示すように、溝路１の側壁４，４の上端面と各梁部材１０の左右両端部の下面間に次第に厚みを増加させたスペーサ３４が介装される。尚、該スペーサ３４に代えて、各梁部材１０の左右両端部に上下方向に螺進可能な螺子杆を螺装するようにしてもよい。また、溝路用通水被覆装置５を水平に保持した後、両水平縁７，７の外側端と溝路１の側壁４，４の内面３１，３１との間に設けられている間隙３２，３２は、例えば固練りコンクリート等を充填することによって遮蔽される。その他の構成は前記第１５実施例と同じであり、同一部分に同一符号を付して重複する説明を省略する。
【００７３】
かかる構成にあっては、図２４に示すように、Ｕ字溝等の溝路部材２を用いて水勾配を付けて構築された溝路１上に溝路用通水被覆装置５を水平に配設する場合に、水下に至るに従って、溝路１の側壁４，４の上端面と水平縁７，７の外側端との間に次第に生じる上下方向の隙間を遮蔽縁３３，３３によって遮蔽することができ、これによって、水平縁７，７上に敷設されるコンクリート１８や砂２６等が前記隙間から溝路１内へ流入する不具合を防止することができる。尚、間隙３２，３２を固練りコンクリート等の充填物で遮蔽せず、かつコンクリート１８を透水性コンクリートにすることにより、降雨時における透過水を前記間隙３２，３２から溝路１内に排水することが可能となる。
【００７４】
尚、前記第１９実施例（図２３参照）では、各梁部材１０が、左右の水平縁７，７の上面に当接して配設された構成を示したが、これに代えて、図２５に示す本発明に係る第２０実施例のように、各梁部材１０上に左右の水平縁７，７が乗載された構成としてもよい。
【００７５】
図２６は参考第２１実施例を示し、この第２１実施例は、前記第１７実施例（図２１参照）の構成において、一方の支持枠８（図中右側）の水平縁７の外側端と溝路１の側壁４の内面３１との間に間隙３２を設けるとともに、該水平縁７の外側端に、側壁４の内面３１に沿って垂下する遮蔽縁３３を連成したものである。また、他方の支持枠８（図中左側）の立ち上がり縁６は、側壁４の外面１１に沿うようにして下方に垂設されており、この立ち上がり縁６の垂設部分が他方の遮蔽縁３３となっている。その他の構成は前記第１７実施例と同じであり、同一部分に同一符号を付して重複する説明を省略する。
【００７６】
かかる構成にあっても、前記第１９実施例と同様に、水勾配を付けて構築された溝路１上に溝路用通水被覆装置５を水平に配設する場合において、水下に至るに従って、溝路１の側壁４，４の上端面と水平縁７，７の外側端との間に次第に生じる上下方向の隙間を遮蔽縁３３，３３によって遮蔽することができ、これによって、水平縁７上に敷設されるコンクリート１８や砂２６等が前記隙間から溝路１内へ流入する不具合を防止することができる。尚、コンクリート１８を透水性コンクリートにすることにより、降雨時における透過水を前記間隙３２から溝路１内に排水することが可能となる。
【００７７】
尚、前記第２１実施例（図２６参照）では、各梁部材１０が、水平縁７の上面に当接して配設された構成を示したが、これに代えて、図２７に示す本発明に係る第２２実施例のように、各梁部材１０上に水平縁７が乗載された構成としてもよい。
【００７８】
また、本発明は上述した各実施例の構成に限定されるものではなく、本発明の要旨を逸脱しない範囲で種々の変更が可能であり、例えば、固定杆１６を支持枠８，８から垂設したり、遮蔽縁３３，３３を各梁部材１０に接合して垂下させるようにしてもよい。さらに、固定杆１６を支持枠の全長に亘って設置して、遮蔽縁３３，３３の機能を得られるようにしてもよい。また、溝路１は、Ｕ字溝等の溝路部材２を用いることなく、現場におけるコンクリートの打設によって構築してもよい。
【図面の簡単な説明】
【００７９】
【図１】参考第１実施例の溝路用通水被覆装置５の施工状態を示す縦断面図である。
【図２】同上の溝路用通水被覆装置５の外観斜視図である。
【図３】金属製通水被覆部材１３の他の構成を示す縦断面図である。
【図４】金属製通水被覆部材１３と左右の立ち上がり縁６，６とを一体形成した構成を示す縦断面図である。
【図５】参考第２実施例の溝路用通水被覆装置５の施工状態を示す縦断面図である。
【図６】参考第３実施例の溝路用通水被覆装置５の施工状態を示す縦断面図である。
【図７】通水部９の下部開口幅２２ｂを上部開口幅２２ａより広くなるようにする他の形態を示す説明図である。
【図８】参考第４実施例の溝路用通水被覆装置５の施工状態を示す縦断面図である。
【図９】参考第５実施例の溝路用通水被覆装置５の施工状態を示す縦断面図である。
【図１０】本発明に係る第６実施例の溝路用通水被覆装置５の施工状態を示す縦断面図である。
【図１１】参考第７実施例の溝路用通水被覆装置５の施工状態を示す縦断面図である。
【図１２】本発明に係る第８実施例の溝路用通水被覆装置５の施工状態を示す縦断面図である。
【図１３】本発明に係る第９実施例の溝路用通水被覆装置５の施工状態を示す縦断面図である。
【図１４】本発明に係る第１０実施例の溝路用通水被覆装置５の施工状態を示す縦断面図である。
【図１５】本発明に係る第１１実施例の溝路用通水被覆装置５の施工状態を示す縦断面図である。
【図１６】本発明に係る第１２実施例の溝路用通水被覆装置５の施工状態を示す縦断面図である。
【図１７】本発明に係る第１３実施例の溝路用通水被覆装置５の施工状態を示す縦断面図である。
【図１８】参考第１４実施例の溝路用通水被覆装置５の施工状態を示す縦断面図である。
【図１９】参考第１５実施例の溝路用通水被覆装置５の施工状態を示す縦断面図である。
【図２０】本発明に係る第１６実施例の溝路用通水被覆装置５の施工状態を示す縦断面図である。
【図２１】第１７実施例の溝路用通水被覆装置５の施工状態を示す縦断面図である。
【図２２】本発明に係る第１８実施例の溝路用通水被覆装置５の施工状態を示す縦断面図である。
【図２３】参考第１９実施例の溝路用通水被覆装置５の施工状態を示す縦断面図である。
【図２４】同上の溝路用通水被覆装置５の外観斜視図である。
【図２５】本発明に係る第２０実施例の溝路用通水被覆装置５の施工状態を示す縦断面図である。
【図２６】参考第２１実施例の溝路用通水被覆装置５の施工状態を示す縦断面図である。
【図２７】本発明に係る第２２実施例の溝路用通水被覆装置５の施工状態を示す縦断面図である。
【図２８】従来構成の施工状態を示す縦断面図である。
【符号の説明】
【００８０】
１  溝路
４  側壁
５  溝路用通水被覆装置
６  立ち上がり縁
７  水平縁
８  支持枠
９  通水部
１０  梁部材
１１  外面（側壁外面）
１３  金属製通水被覆部材
１６  固定杆
１７  固定螺子
２８  嵩上げ杆
３１  内面（側壁内面）
３２  間隙
３３  遮蔽縁
【図１】
2008202403.tif 000003
【図２】
2008202403.tif 000004
【図３】
2008202403.tif 000005
【図４】
2008202403.tif 000006
【図５】
2008202403.tif 000007
【図６】
2008202403.tif 000008
【図７】
2008202403.tif 000009
【図８】
2008202403.tif 000010
【図９】
2008202403.tif 000011
【図１０】
2008202403.tif 000012
【図１１】
2008202403.tif 000013
【図１２】
2008202403.tif 000014
【図１３】
2008202403.tif 000015
【図１４】
2008202403.tif 000016
【図１５】
2008202403.tif 000017
【図１６】
2008202403.tif 000018
【図１７】
2008202403.tif 000019
【図１８】
2008202403.tif 000020
【図１９】
2008202403.tif 000021
【図２０】
2008202403.tif 000022
【図２１】
2008202403.tif 000023
【図２２】
2008202403.tif 000024
【図２３】
2008202403.tif 000025
【図２４】
2008202403.tif 000026
【図２５】
2008202403.tif 000027
【図２６】
2008202403.tif 000028
【図２７】
2008202403.tif 000029
【図２８】
2008202403.tif 000030
【手続補正書】
【提出日】平成20年7月8日(2008.7.8)
【手続補正１】
【補正対象書類名】特許請求の範囲
【補正対象項目名】全文
【補正方法】変更
【補正の内容】
【特許請求の範囲】
【請求項１】
少なくとも一方に水平縁が連成された立ち上がり縁からなる左右の支持枠を備え、該両支持枠の立ち上がり縁が溝路の上部で所定間隔を置いて対向配置され、該両立ち上がり縁間に通水部が形成されるとともに、支持枠の水平縁によって残余の溝路の上部が覆われ、かつ両支持枠が該支持枠の長手方向に所定間隔で配設された複数の梁部材によって連結されてなる溝路用通水被覆装置において、
梁部材の上方で、左右の支持枠の立ち上がり縁間に嵩上げ杆を横架し、該嵩上げ杆上に、金属製通水被覆部材を乗載するようにし、
さらに前記各梁部材が、支持枠の水平縁の上面に当接して配設され、かつ各梁部材の左右両端部が、溝路を構成する左右の側壁の上端面に、両支持枠の水平縁又は一方の支持枠の水平縁と他方の支持枠の立ち上がり縁とを介して乗載されていることを特徴とする溝路用通水被覆装置。
【請求項２】
少なくとも一方に水平縁が連成された立ち上がり縁からなる左右の支持枠を備え、該両支持枠の立ち上がり縁が溝路の上部で所定間隔を置いて対向配置され、該両立ち上がり縁間に通水部が形成されるとともに、支持枠の水平縁によって残余の溝路の上部が覆われ、かつ両支持枠が該支持枠の長手方向に所定間隔で配設された複数の梁部材によって連結されてなる溝路用通水被覆装置において、
梁部材の上方で、左右の支持枠の立ち上がり縁間に嵩上げ杆を横架し、該嵩上げ杆上に、金属製通水被覆部材を乗載するようにし、
さらに前記各梁部材が、支持枠の水平縁の上面又は下面に当接して配設され、かつ水平縁の外側端と溝路の側壁内面との間に間隙が設けられるとともに、各梁部材の左右両端部が、溝路を構成する左右の側壁の上端面に乗載されていることを特徴とする溝路用通水被覆装置。
【手続補正２】
【補正対象書類名】明細書
【補正対象項目名】００１２
【補正方法】変更
【補正の内容】
【００１２】
また、少なくとも一方に水平縁が連成された立ち上がり縁からなる左右の支持枠を備え、該両支持枠の立ち上がり縁が溝路の上部で所定間隔を置いて対向配置され、該両立ち上がり縁間に通水部が形成されるとともに、支持枠の水平縁によって残余の溝路の上部が覆われ、かつ両支持枠が該支持枠の長手方向に所定間隔で配設された複数の梁部材によって連結されてなる溝路用通水被覆装置において、梁部材の上方で、左右の支持枠の立ち上がり縁間に嵩上げ杆を横架し、該嵩上げ杆上に、金属製通水被覆部材を乗載するようにし、さらに前記各梁部材上に支持枠の水平縁が乗載され、かつ各梁部材の左右両端部が、溝路を構成する左右の側壁の上端面に乗載されていることを特徴とする溝路用通水被覆装置が提案される。
【手続補正３】
【補正対象書類名】明細書
【補正対象項目名】００２４
【補正方法】変更
【補正の内容】
【００２４】
梁部材の上方で、左右の支持枠の立ち上がり縁間に嵩上げ杆を横架し、該嵩上げ杆上に、金属製通水被覆部材を乗載するようにし、さらに左右の支持枠を連結する複数の梁部材上に支持枠の水平縁を乗載し、かつ各梁部材の左右両端部を、溝路を構成する左右の側壁の上端面に乗載するように構成した場合には、溝路用通水被覆装置上に自動車等の重量の大きなものの荷重が掛かっても、溝路の左右の側壁上に差し渡された梁部材によって、その荷重に耐える所定の強度を得ることができる。また、溝路の左右の側壁の上端面に梁部材の左右両端部を乗載したので、従来のように、両側壁の上部内側縁にＬ形受け部を形成する必要がなく、その形成コストが不要となる。